(57)【要約】【課題】  従来のものに比べてより一層の低背化を可能にできる構成のカード用コネクタを提供する。【解決手段】  カード用コネクタ１０がカード受入空洞１４と、カード受入空洞１４にコンタクト片を臨ませた複数の端子４０と、カード受入空洞１４に受け入れたカード１２に対するカード排出機構５０とを備えている。  前記カード受入空洞１４が、前記カード１２の一面と対向する略方形の天板２１と、この天板２１の対向する両側縁に連続して成形されている箱曲げ部２２、２３とを有するメタルシェル２０によって画成されており、前記カード排出機構５０が、前記メタルシェル２０の一方の箱曲げ部２３の内側空間に設置され、その排出動作が前記箱曲げ部２３のみでガイドされている。【選択図】  図１
2005228519.tif 000002
【特許請求の範囲】
【請求項１】
カード受入空洞（１４）と、カード受入空洞（１４）にコンタクト片（４１）を臨ませた複数の端子（４０）と、カード受入空洞（１４）に受け入れたカード（１２）に対するカード排出機構（５０）とを備えているカード用コネクタ（１０）において、
前記カード受入空洞（１４）が、前記カード（１２）の一面と対向する略方形の天板（２１）と、この天板（２１）の対向する両側縁に連続して成形されている箱曲げ部（２２、２３）とを有するメタルシェル（２０）によって画成されており、
前記カード排出機構（５０）が、前記メタルシェル（２０）の一方の箱曲げ部（２３）の内側空間に設置され、その排出動作が前記箱曲げ部（２３）のみでガイドされていることを特徴とするカード用コネクタ。
【請求項２】
前記カード排出機構（５０）は、カムスライダー（５１）と、カムスライダー（５１）のスライドを付勢するためのスプリング（５２）と、カムスライダー（５１）のカム溝（５１２）と係合するカムピン（５３）とを備えたプッシュ／プッシュ式のカード排出機構（５０）であり、カムスライダー（５１）が、前記箱曲げ部（２３）を構成し天板（２１）と対向している底側板（２３２）上のガイドレール（２３４）でスライドをガイドされている請求項１に記載のカード用コネクタ。
【請求項３】
前記ガイドレール（２３４）は、前記底側板（２３２）から切り起こされている請求項２に記載のカード用コネクタ。
【請求項４】
前記カムピン（５３）は、一端が前記箱曲げ部（２３）の一端に設置したカード挿入ガイド部品（２４）に軸支され、他端がカムスライダー（５１）のカム溝（５１２）に係合している請求項２または３に記載のカード用コネクタ。
【請求項５】
前記カムピンは、前記メタルシェル（２０）内に片持ち梁状に切り起こされたばね片（２６）の先端に設けた係合ピンとされて、カムスライダー（５１）のカム溝（５１２）に係合している請求項２または３に記載のカード用コネクタ。
【請求項６】
前記複数の端子（４０）は、前記カード受入空洞（１４）の奥に設置された、絶縁性のプラスチックを略角棒状に成形してなる端子支持ブロック（３０）に並列して支持され、各端子（４０）のコンタクト片（４１）がカード受入空洞（１４）に片持ち梁状となって延びている請求項１〜５のいずれかに記載のカード用コネクタ。
【請求項７】
略方形の天板（２１）と、天板（２１）の対向する両側縁に箱曲げ部（２２、２３）を連続して有するメタルシェル（２０）と、
前記天板（２１）の一端部内側に、一端部に沿って設置された、絶縁性のプラスチックを略角棒状に成形してなる端子支持ブロック（３０）と、
端子支持ブロック（３０）に並列して装着された複数の端子（４０）と、
前記メタルシェル（２０）の一方の箱曲げ部（２３）の内側空間に設置されたカード排出機構（５０）とで構成され、
カード排出機構（５０）の排出動作が前記箱曲げ部（２３）のみでガイドされていることを特徴とするカード用コネクタ。
【請求項８】
前記カード排出機構（５０）は、カムスライダー（５１）と、カムスライダー（５１）のスライドを付勢するためのスプリング（５２）と、カムスライダー（５１）のカム溝（５１２）と係合するカムピン（５３）とを備えたプッシュ／プッシュ式のカード排出機構（５０）であり、カムスライダー（５１）が、前記箱曲げ部（２３）を構成して天板（２１）と対向している底側板（２３２）上のガイドレール（２３４）でスライドをガイドされている請求項７に記載のカード用コネクタ。
【請求項９】
前記ガイドレール（２３４）は、前記底側板（２３２）から切り起こされている請求項８に記載のカード用コネクタ。
【請求項１０】
前記カムピン（５３）は、一端が前記箱曲げ部（２３）の一端に設置したカード挿入ガイド部品（２４）に軸支され、他端がカムスライダー（５１）のカム溝（５１２）に係合している請求項８または９に記載のカード用コネクタ。
【請求項１１】
前記カムピンは、前記メタルシェル（２０）内に片持ち梁状に切り起こされたばね片（２６）の先端に設けた係合ピンとされて、カムスライダー（５１）のカム溝（５１２）に係合している請求項８または９に記載のカード用コネクタ。
【発明の詳細な説明】
【技術分野】
【０００１】
この発明は、メモリーカードなどのカード状媒体を受け入れるようにしたカード用コネクタに関する。
【背景技術】
【０００２】
従来、メモリーカードなどのカード状媒体を受け入れるようにしたカード用コネクタは、カード受入空洞と、カード受入空洞にコンタクト片を臨ませた複数の端子と、カード受入空洞に受け入れたカードに対するカード排出機構とを備えている。メモリーカードなどのカード状媒体をカード受入空洞に挿入すると、カード状媒体の接点パッドと前記端子のコンタクト片が１対１の関係で係合し、電気的に接続するようになっている。また、カード受入空洞に挿入したカード状媒体は、前記カード排出機構を操作して、外部に取り出すことができるようになっている。
【０００３】
前記複数の端子は、絶縁ハウジングで支持されている。この絶縁ハウジングは、細長いブロック状の端子支持部を有し、更にこの端子支持部の両端から互いに対向するように側壁がアーム状に延びていると共に、両側壁間に底板を有した構造とされている。そして、この絶縁ハウジングの上側にメタルシェルが組み付けられて、メタルシェルと絶縁ハウジングが協働して前記カード受入空洞を画成するようにされている（特許文献１、２参照）。
【０００４】
また、カード排出機構には種々の機構が採用されているが、カード用コネクタの小型化が進展するに従って、いわゆるプッシュ／プッシュ式のカード排出機構が採用されたものが多くなっている（特許文献２参照）。このプッシュ／プッシュ式のカード排出機構は、カード状媒体と係合して、カード状媒体と一体となってスライド移動ができるようにしたカムスライダーと、カムスライダーのスライド移動を付勢するスプリングと、カムスライダーに形成されたカム溝に係合してカムスライダーのスライドを制御するカムピンを主要な構成部品としている。そして、このカムスライダーは、前記絶縁ハウジングの側壁または底板に設けたガイドレールでそのスライドがガイドされるようにされている。
【０００５】
【特許文献１】特開２００２−３２９５５３号公報(段落０００４〜００１０、図６〜９)
【特許文献２】特開２００２−３４３４６８号公報(段落０００４〜００１１、図８〜１１、段落００１３〜００４８、図１、６、７)
【発明の開示】
【発明が解決しようとする課題】
【０００６】
ところで、近年、ビデオカメラ、デジタルスチルカメラ、携帯電話機、ＰＤＡ(Ｐｅｒｓｏｎａｌ  Ｄｉｇｉｔａｌ  Ａｓｓｉｓｔａｎｔ)等の電子機器の小型高機能化の進展には目覚しいものがあるが、これらの電子機器に搭載されるこのカード用コネクタに対しては、前記プッシュ／プッシュ式等のカード排出機構を有したまま、一層の小型化の要請がされている。特に、前記の電子機器の薄型化が進み、したがって、カード用コネクタに対しても、高さ方向の低背化の要求が厳しくなっている。
【０００７】
このような状況において、前記の如くの構造を有するカード用コネクタの低背化を試みる場合、構成部品の一つである絶縁ハウジングがカード用コネクタの低背化を難しくしている。即ち、この絶縁ハウジングは絶縁性のプラスチックの射出成形品であって、前記の底板は比較的広い面積を有しているために、これを薄くするのが難しく (約０．２ｍｍが限界)、コネクタの低背化の限界となっている。
【０００８】
この発明は、以上の如くの現状に鑑みて成されたもので、従来のものに比べてより一層の低背化を可能にできる構成のカード用コネクタを提供することを目的としている。
【課題を解決するための手段】
【０００９】
即ち、この発明は、カード受入空洞と、カード受入空洞にコンタクト片を臨ませた複数の端子と、カード受入空洞に受け入れたカードに対するカード排出機構とを備えているカード用コネクタにおいて、
前記カード受入空洞が、前記カードの一面と対向する略方形の天板と、この天板の対向する両側縁に連続して成形されている箱曲げ部とを有するメタルシェルによって画成されており、
前記カード排出機構が、前記メタルシェルの一方の箱曲げ部の内側空間に設置され、その排出動作が前記箱曲げ部のみでガイドされていることを特徴とするカード用コネクタである。
【００１０】
また、略方形の天板と、天板の対向する両側縁に箱曲げ部を連続して有するメタルシェルと、
前記天板の一端部内側に、一端部に沿って設置された、絶縁性のプラスチックを略角棒状に成形してなる端子支持ブロックと、
端子支持ブロックに並列して装着された複数の端子と、
前記メタルシェルの一方の箱曲げ部の内側空間に設置されたカード排出機構とで構成され、
カード排出機構の排出動作が前記箱曲げ部のみでガイドされていることを特徴とするカード用コネクタである。
【発明の効果】
【００１１】
このように、この発明のカード用コネクタは、メタルシェルの箱曲げ部のみでカード排出機構の排出動作をガイドするようにし、底板を有する絶縁ハウジングを構成部品としていないので、低背化の障害を除き、より一層の低背化を可能にできる効果がある。
【発明を実施するための最良の形態】
【００１２】
以下、この発明の実施の形態を添付の図を参照して詳細に説明する。
【００１３】
図１に実施形態のカード用コネクタ１０が、カード状媒体１２（以下、単にカードという）を受け入れた状態で示されている。図の（ａ）がカード用コネクタ１０を上方から見た斜視図であり、（ｂ）が下方から見た斜視図である。
【００１４】
カード用コネクタ１０は、メタルシェル２０と、端子支持ブロック３０と、端子支持ブロック３０に並列して装着されている複数の端子４０と、プッシュ／プッシュ式のカード排出機構５０及びカード挿入ガイド部品２４で構成されている。それぞれ各部の斜視図を図３から図６に示してある。
【００１５】
メタルシェル２０は、ステンレススチール等の薄金属板を図３のように成形したもので、前記カード１２を受け入れるカード受入空洞１４（図２参照）を画成している。即ち、メタルシェル２０は、カード１２の一面（上面）と対向する略方形の天板２１と、この天板２１の対向する両側縁に連続させて断面を略コ字状に成形された箱曲げ部２２、２３とを有しており、天板２１の下側をカード受入空洞１４としている。カード受入空洞１４は、下側が箱曲げ部２２、２３間で開放していると共に、図１（ａ）において手前側となっている一端がカード挿入口１４１として開放している。
【００１６】
図１、２を参照して前記箱曲げ部２２、２３の構造を説明すると、図２において右側に位置する一方の箱曲げ部２２は、天板２１から略直角に屈曲して連続する側板２２１と、側板２２１から略直角に屈曲して連続し、天板２１と対向する底側板２２２を有しており、天板２１の側縁部から底側板２２２の間で断面が略コ字形とされている。
【００１７】
一方の箱曲げ部２２と対向している他方の箱曲げ部２３も略同様であり、天板２１から略直角に屈曲して連続する側板２３１と、側板２３１から略直角に屈曲して連続し、天板２１と対向する底側板２３２を有しており、天板２１の側縁部から底側板２３２の間で断面が略コ字形とされている。
【００１８】
図１（ｂ）及び図２に表れているように、一方の箱曲げ部２２の底側板２２２に比べて他方の箱曲げ部２３の底側板２３２が幅広にされている。また、両方の側板２２１、２３１は、同一の高さを有しており、天板２１の下側に画成されるカード受入空洞１４のために、カード１２の厚さより若干厚い高さにされている。
【００１９】
箱曲げ部２２、２３において、それぞれの底側板２２２、２３２は、側板２２１、２３１の全長に亘っているものではない。一方の箱曲げ部２２の底側板２２２は、側板２２１の略中間に部分的に設けられている。この底側板２２２よりカード挿入口１４１側には、外向きのネイル片２２３と、内向きのガイド片２２４が、側板２２１から略直角に連続させて、底側板２２２と同一の面内で設けられている。
【００２０】
他方の箱曲げ部２３の底側板２３２は、カード挿入口１４１側の端部を除いて、側板２３１の全長に亘っている。底側板２３２が設けられていない側板２３１の端部には、外向きのネイル片２３３が底側板２３２と同一面内で設けられていると共に、カード挿入ガイド部品２４が取り付けられている。このカード挿入ガイド部品２４は、図４に示した如くの形状に絶縁性のプラスチックをブロック状に成形したもので、メタルシェル２０の天板２１側から垂下させた係合片２１１（図３参照）を係合穴２４２に圧入することで、このカード挿入ガイド部品２４をメタルシェル２０に一体化できるようになっている。側板２３１の端部に取り付けられたカード挿入ガイド部品２４は、前記箱曲げ部２２のガイド片２２４、側板２２１及び天板２１の側縁部で形成されたコ字状部分と対向し、両者が協働してカード１２のカード受入空洞１４への挿入をガイドするようになっている。
【００２１】
前記端子支持ブロック３０は、図５に表れているように、絶縁性のプラスチックを略角棒状に成形したものである。メタルシェル２０の対向する側板２２１、２３１の間隔に略等しい長さとされ、中間部に端子４０のための装着孔３１が複数、並列して形成されている。この端子支持ブロック３０がメタルシェル２０によって画成されたカード受入空洞１４の奥、即ちカード挿入口１４１と対向する端部に取り付けられている。端子支持ブロック３０の一端面とこれに対向するメタルシェル２０の側板２２１には、係合窓２２５と係合突部３２のような係合手段が設けられて、メタルシェル２０と端子支持ブロック３０が一体化できるようにされている。また、図２に表れているように、メタルシェル２０の天板２１の端縁からも係合片２５が垂下して、係合片２５に形成した係合窓２５１と係合突部３２による係合手段も設けられている。そして、この係合片２５にはネイル片２５２が連続して設けられている。ネイル片２５２は前記側板２２１、２３１のネイル片２２３、２３３と同一の面内で設けられている。
【００２２】
端子支持ブロック３０の各装着孔３１に装着された複数の端子４０は、りん青銅などのばね性の高い薄金属板を打ち抜いて成形したもので、一端にコンタクト片４１を有し、他端にネイル片４２を有している。コンタクト片４１が前記カード受入空洞１４の奥に片持ち梁状となって臨んでいる（図２）。そして、ネイル片４２は、端子支持ブロック３０の外側にＬ字状となって延びている（図１（ｂ）、２）。ネイル片４２も前記メタルシェル２０にいくつか設けられたネイル片２２３、２３３、２５２と同一の面内に配置され、これらのネイル片４２、２２３、２３３、２５２がこのカード用コネクタ１０を搭載するプリント基板などの取付基板に同時に表面半田付けができるようにされている。
【００２３】
カード排出機構５０は、前記メタルシェル２０の箱曲げ部２３の内側空間に設置されている。このカード排出機構５０の機構自体は既に公知のプッシュ／プッシュ式の機構であり、図６に示したように、カムスライダー５１と、コイルスプリング５２と、カムピン５３を主要構成部材としている。カムスライダー５１が、前記箱曲げ部２３の底側板２３２上に載っており、底側板２３２内で切り起こして形成された突片状のガイドレール２３４とカムスライダー５１の下面に形成したスライド溝５１１が嵌まり合っており、カムスライダー５１が、図６に示した矢示１５の、カード１２がカード受入空洞１４に挿入及び抜去される方向でガイドレール２３４によってスライドをガイドされるようになっている。
【００２４】
このカムスライダー５１には、前記カムピン５３が係合するカム溝５１２（ハートカム、図７以下参照）が設けられていると共に、カード１２の挿入方向前端側部と当接するようにした斜壁面５１３と、カード１２の側縁に形成された切欠凹部１２１（図７以下参照）と係合、離脱が可能のロック用フック５１４とが設けられている。
【００２５】
コイルスプリング５２は、前記カムスライダー５１と前記端子支持ブロック３０の一端に設けたスプリング受壁３３の間に弾発状態で設置されて、カムスライダー５１を常時、矢示５２１の方向（カード１２が抜去される方向）に付勢するようになっている。
【００２６】
カムピン５３は、丸い金属棒の両端を略直角に屈曲成形した形状をしており、一端がカード挿入口１４１の一側に取り付けられたカード挿入ガイド部品２４のピン係合凹部２４３（図４参照）にピボット軸支されており、そして他端がカムスライダー５１のカム溝５１２に係合している。このようなカム溝５１２とカムピン５３の係合によって、カムスライダー５１のスライド動作が、以下で説明するように、プッシュ／プッシュ式の動作となるように制御されている。
【００２７】
次に、図７〜１０を参照して、以上のように構成されたカード用コネクタ１０のカード受入空洞１４にカード１２を挿入する時の、カムスライダー５１の動作について説明する。カード１２は、前記切欠凹部１２１が形成されているのに加えて、挿入方向前端の上面に、図７〜１０の各図に表れているように、接点パッド１２２が並列して設けられ、また、前端一側には、方形の板の角部を斜めに切り落とした形の極性決めコーナー１２３が設けられている。前記端子４０のコンタクト片４１は、接点パッド１２２と１対１の関係で対応するようにされているものであり、また、前記カムスライダー５１の斜壁面５１３が、極性決めコーナー１２３と対向して隙間なく当接できるようにされているものである。
【００２８】
図７は、カード挿入口１４１を通してカード受入空洞１４へ、カード１２を正しく挿入した初期の状態を表している。この時、カムスライダー５１は無負荷状態で、コイルスプリング５２の付勢力でカード挿入口１４１に最も近接した所に位置している。カード１２が挿入されて、カード１２の極性決めコーナー１２３がカムスライダー５１の斜壁面５１３に当接すると共に、カムスライダー５１のロック用フック５１４がカード１２の切欠凹部１２１に係合してロック状態となり、カード１２とカムスライダー５１が一体化している。
【００２９】
図８は、図７の初期状態からカード１２をその前端が端子支持ブロック３０に当接する位置まで進入させた状態の図である。これをオーバーストローク状態と呼んでいる。カード１２に加える挿入力はこのオーバーストローク状態の所で解除することになる。カード１２がオーバーストローク状態の所まで進入するのに合わせて、カムスライダー５１も前記ガイドレール２３４でガイドされて、カード１２と共にカード受入空洞１４の奥にスライドする。
【００３０】
カード１２をオーバーストローク状態の所まで挿入して挿入力を解除すると、カムスライダー５１のスライドで圧縮状態となっているコイルスプリング５２の反発力で、カムスライダー５１が、図８の矢示１６の方向に押し戻され、カード１２とカムスライダー５１は図９に示した位置までスライドして停止する。この状態をロック状態と呼んでいる。ロック状態の所で、カード１２とカムスライダー５１のスライドが停止するのは、カムピン５３が係合しているカムスライダー５１のカム溝５１２の形状によっているものである。
【００３１】
オーバーストローク状態からロック状態の所までのカムスライダー５１のスライドも、箱曲げ部２３を構成した底側板２３２のガイドレール２３４でガイドされる。カード１２のロック状態においては、複数の端子４０のそれぞれのコンタクト片４１はカード１２の接点パッド１２２に所定の接触圧で係合しており、接点パッド１２２とコンタクト片４１は電気的に接続された状態になる。
【００３２】
カード受入空洞１４に図９のように挿入したカード１２を抜去する時は、カード１２に挿入力を再び加えて図１０のオーバーストローク状態として、挿入力を解除するようにする。すると、カムピン５３のカム溝５１２における係合位置が、カムスライダー５１のスライドを停止させる位置から外れて他の部分に移動し（図９、１０参照）、カムスライダー５１とカード１２は図７の初期状態の位置まで、コイルスプリング５２の反発力で矢示１７の方向に押し戻されて、カード１２の引き抜きが可能となる。
【００３３】
図１０のオーバーストローク状態から図７の初期状態までのカムスライダー５１のスライドも、前記底側板２３２のガイドレール２３４によってガイドされる。
【００３４】
以上のように、この発明を実施したカード用コネクタ１０では、カード１０の下側には、メタルシェル２０の箱曲げ部２２、２３を構成している底側板２２２、２３２だけが存在する。底側板２２２、２３２は、メタルシェル２０を構成している薄金属板から成るので、可及的に薄くすることが可能で、カード用コネクタ１０の低背化を可能にする。例えば、メタルシェル２０を０．１５ｍｍ厚の金属板で構成することとすれば、絶縁ハウジングを有している従来のものにおいて、その底板の厚さが０．２ｍｍ厚が限界であったものに比べて、更に０．０５ｍｍの低背化が可能であり、モバイル系の電子機器にもたらすメリットは絶大である。
【００３５】
また、ガイドレール２３４は従来のカード用コネクタのように絶縁ハウジングの側壁または底壁に設けた構成となっておらず、メタルシェル２０の底側板２３２内に切り起こされた突片で構成されているため強度的にも優れており、カード１２の挿入・抜去に伴う突発的な負荷に対しても変形するおそれがない。
【００３６】
加えて、カード用コネクタ１０の側面及び底面がメタルシェル２０の箱曲げ部２２、２３のみで構成されているので、従来のカード用コネクタのように絶縁性のプラスチックで側面及び底面が構成されたものに比べて、半田リフローから加熱、冷却の過程において、金属とプラスチックとの間における熱膨張、熱収縮の差が小さい。このため、実装の際のカード用コネクタ１０の挙動を安定させることができる。
【００３７】
また、従来のカード用コネクタのような、絶縁ハウジングにメタルシェルを組み付ける構成では、メタルシェルと絶縁ハウジングの間に設計的な公差によるクリアランス（ガタ）が生じるおそれがあったが、このおそれも解消する。カード用コネクタ１０はメタルシェル２０のみでコネクタ本体が構成されているからである。この点においても、コネクタの低背化に有利に作用することになる。
【００３８】
さらにまた、カード用コネクタ１０のカード挿入口１４１の一側にはカード挿入ガイド部品２４が、カード挿入口１４１の一側に蓋をするような状態で組みつけられているので、カムスライダー５１及びコイルスプリング５２は、カード挿入口１４１側から挿入することも可能であり、カード排出機構５０の組み付け方法の自由度を向上することができる。
【００３９】
尚、カード挿入口１４１の一側に配置された、プラスチックの成形品であるカード挿入ガイド部品２４にも、底側板２２２、２３２と同一面内でガイド片２４１が存在している（図３、４参照）。このガイド片２４１は、ごく小さいものであるので、従来の０．２ｍｍの限界には該当することなく、底側板２２２、２３２と略同一の厚さとなるように薄く成形することが可能である。
【００４０】
以上、最も好ましい実施形態について説明したが、この発明はこの実施形態に限定されるものではない。底側板２３２内に切り起こしたガイドレール２３４は、別部品として底側板２３２上に設置するようにすることもできる。また、図１（ａ）に表れているように、メタルシェル２０の天板２１には、前記カムピン５３をカムスライダー５１側に付勢するばね片２６が、片持ち梁状に切り起こされているが、このばね片２６の先端に、カム溝５１２と係合するカムピンを下向きに形成する構成とすることもできる。更に、カード排出機構５０も、プッシュ／プッシュ式に限定されるものではない。カムスライダー５１を単にコイルスプリング５２で付勢されるスライダーとして、カム溝によることなくスライドをロックする機械的機構を、メタルシェル２０の側板２３１などを介して設けるようにしても良い。
【図面の簡単な説明】
【００４１】
【図１】この発明の実施形態のカード用コネクタがカードを受け入れた状態の斜視図であって、（ａ）は上方から見た斜視図、（ｂ）は下方から見た斜視図である。
【図２】同じく実施形態のカード用コネクタの下方から見た斜視図である。
【図３】同じく実施形態のカード用コネクタを構成したメタルシェルを単独で示す斜視図である。
【図４】同じく実施形態のカード用コネクタを構成したカード挿入ガイド部品を単独で示す斜視図である。
【図５】同じく実施形態のカード用コネクタを構成した端子支持ブロックを、端子が装着された状態で示す斜視図である。
【図６】同じく実施形態のカード用コネクタを構成したカード排出機構が示された図であり、カード用コネクタの一部を破切して示す拡大斜視図である。
【図７】実施形態のカード用コネクタにカードを挿入する時の説明図で、初期状態を表している一部拡大斜視図である。
【図８】同じくカードを挿入する時の説明図で、挿入の際のオーバーストローク状態を表している一部拡大斜視図である。
【図９】同じくカードを挿入する時の説明図で、ロック状態を表している一部拡大斜視図である。
【図１０】挿入したカードを抜去する時の説明図で、オーバーストローク状態を表している一部拡大斜視図である。
【符号の説明】
【００４２】
１０          カード用コネクタ
１２          カード状媒体（カード）
１２１        切欠凹部
１２２        接点パッド
１２３        極性決めコーナー
１４          カード受入空洞
１４１        カード挿入口
２０          メタルシェル
２１          天板
２１１        係合片
２２          箱曲げ部
２２１        側板
２２２        底側板
２２３        ネイル片
２２４        ガイド片
２２５        係合窓
２３          箱曲げ部
２３１        側板
２３２        底側板
２３３        ネイル片
２３４        ガイドレール
２４          カード挿入ガイド部品
２４１        ガイド片
２４２        係合穴
２４３        ピン係合凹部
２５          係合片
２５１        係合窓
２５２        ネイル片
２６          ばね片
３０          端子支持ブロック
３１          装着孔
３２          係合突部
３３          スプリング受壁
４０          端子
４１          コンタクト片
４２          ネイル片
５０          カード排出機構
５１          カムスライダー
５１１        スライド溝
５１２        カム溝
５１３        斜壁面
５１４        ロック用フック
５２          コイルスプリング
５３          カムピン
【図１】
2005228519.tif 000003
【図２】
2005228519.tif 000004
【図３】
2005228519.tif 000005
【図４】
2005228519.tif 000006
【図５】
2005228519.tif 000007
【図６】
2005228519.tif 000008
【図７】
2005228519.tif 000009
【図８】
2005228519.tif 000010
【図９】
2005228519.tif 000011
【図１０】
2005228519.tif 000012